【手続補正書】
【提出日】平成17年11月7日(2005.11.7)
【手続補正１】
【補正対象書類名】明細書
【補正対象項目名】特許請求の範囲
【補正方法】変更
【補正の内容】
【特許請求の範囲】
【請求項１】  所定の画像情報が少なくとも生地より高い濃度の文字が描かれた画像、もしくは、少なくとも生地より低い濃度の文字が描かれた画像かを、前記所定の画像情報を一方向に計測して得られる、同一の濃度の画素の連続する長さであるラン長さであって、所定条件を満足するラン長さから判定する反転画像判定手段を備え、判定領域の反転画像判定を行なう画像処理装置。
【請求項２】  前記反転画像判定手段は、所定の画像情報に対する直交軸の一方の軸についてラン長さを計測し、所定長さのラン長さの、他方の軸方向への連続状態をもとに反転画像か否かを判定することを特徴とする、請求項１に記載の画像処理装置。
【請求項３】  前記反転画像判定手段は、所定の画像情報に対する直交軸の一方の軸についてラン長さを計測し、ラン長さと該軸に対応する所定の画像情報の長さとの比を求め、所定比率のラン長さの、他方の軸方向への連続状態をもとに反転画像か否かを判定することを特徴とする、請求項１に記載の画像処理装置。
【請求項４】  画像情報に対して前記画像情報のサイズをもとに所定サイズの部分領域を定め、該部分領域をもとに判定領域を抽出する判定領域抽出手段と、
前記判定領域抽出手段にて抽出された判定領域が少なくとも生地より高い濃度の文字が描かれた画像、もしくは、少なくとも生地より低い濃度の文字が描かれた画像かを、前記画像情報を一方向に計測して得られる、同一の濃度の画素の連続する長さであるラン長さであって、所定条件を満足するラン長さの連続状態をもとに判定する反転画像判定手段とを備え、
判定領域の反転画像判定を行なう、画像処理装置。
【請求項５】  前記判定領域抽出手段は、所定サイズの部分領域をもとに所定形状の領域を含む領域を再設定し、判定領域として出力することを特徴とする、請求項４に記載の画像処理装置。
【請求項６】  前記判定領域抽出手段は、所定サイズの部分領域をもとに帯状の領域を抽出し、判定領域として出力することを特徴とする、請求項４に記載の画像処理装置。
【請求項７】  前記判定領域抽出手段は、所定サイズの部分領域に対する直交軸の一方の軸についてエッジ値が所定以上の画素数のヒストグラムを求め、部分領域の中央からもう一方の軸の＋方向および−方向にヒストグラムの走査を行ない、ヒストグラムの変化が所定条件を満たす領域を判定領域として抽出することを特徴とする、請求項４に記載の画像処理装置。
【請求項８】  前記判定領域抽出手段は、所定サイズの部分領域に対する直交軸の一方の軸についてラン長さを求め、部分領域の中央部からもう一方の軸の＋方向および−方向にラン長さの走査を行ない、ラン長さの変化が所定条件を満たす領域を判定領域として抽出することを特徴とする、請求項４に記載の画像処理装置。
【請求項９】  前記反転画像判定手段は、判定領域の画素数を計測し、白画素数と黒画素数とを比較することで、反転画像か否かを判定することを特徴とする、請求項４に記載の画像処理装置。
【請求項１０】  前記反転画像判定手段は、判定領域の画素数を計測し、白画素数と黒画素数との比を求め、所定比率と比較することで、反転画像か否かを判定することを特徴とする、請求項４に記載の画像処理装置。
【請求項１１】  前記反転画像判定手段は、判定領域の画像情報に対するラン長さから反転画像か否かを判定する、請求項４に記載の画像処理装置。
【請求項１２】  画像情報に対して前記画像情報のサイズをもとに所定サイズの部分領域を定め、該部分領域をもとに判定領域を抽出する判定領域抽出ステップと、
前記判定領域抽出ステップにて抽出された判定領域が少なくとも生地より高い濃度の文字が描かれた画像、もしくは、少なくとも生地より低い濃度の文字が描かれた画像かを、前記画像情報を一方向に計測して得られる、同一の濃度の画素の連続する長さであるラン長さであって、所定条件を満足するラン長さの連続状態をもとに判定する反転画像判定ステップとをコンピュータに実行させることにより、判定領域の反転画像判定を行なう画像処理プログラムを記録したコンピュータ読取可能な記録媒体。
【請求項１３】  画像情報に対して前記画像情報のサイズをもとに所定サイズの部分領域を定め、該部分領域をもとに判定領域を抽出する判定領域抽出手段と、
前記判定領域抽出手段にて抽出された判定領域が少なくとも生地より高い濃度の文字が描かれた画像、もしくは、少なくとも生地より低い濃度の文字が描かれた画像かを、前記画像情報を一方向に計測して得られる、同一の濃度の画素の連続する長さであるラン長さであって、所定条件を満足するラン長さの連続状態をもとに判定する反転画像判定手段とを備え、
判定領域の反転画像判定を行なう、画像処理方法。
【請求項１４】  画像情報に対して前記画像情報のサイズをもとに所定サイズの部分領域を定め、該部分領域をもとに判定領域を抽出する判定領域抽出ステップと、
前記判定領域抽出ステップにて抽出された判定領域が少なくとも生地より高い濃度の文字が描かれた画像、もしくは、少なくとも生地より低い濃度の文字が描かれた画像かを、前記画像情報を一方向に計測して得られる、同一の濃度の画素の連続する長さであるラン長さであって、所定条件を満足するラン長さの連続状態をもとに判定する反転画像判定ステップとをコンピュータに実行させることにより、判定領域の反転画像判定を行なう画像処理プログラム。
【請求項１５】  画像を入力する手段と、
前記入力された画像から判定領域を抽出する判定領域抽出手段と、
前記判定領域に含まれる画素の画素値を第１画素および第２画素のいずれかに分類する２値化手段と、
前記判定領域に含まれる前記第１画素または第２画素がライン方向に連続する数をカウントし、前記第１画素および第２画素の連続する数を前記ライン方向に直交する方向に走査し、前記ライン方向に直交する方向に対する前記第１画素および第２画素の連続する数の連続状態に基づき、反転文字が表わされた画像か否かを判定する判定手段とを備えた、画像処理装置。
【請求項１６】  画像を入力する入力手段と、
前記入力された画像から判定領域を抽出する判定領域抽出手段と、
前記判定領域に含まれる画素の画素値を第１画素および第２画素のいずれかに分類する２値化手段、
前記判定領域に含まれる前記第１画素または第２画素の、ライン方向に連続する数または比率を前記ライン方向に直交する方向に走査し、前記ライン方向に直交する方向に対する、前記第１画素および第２画素の前記ライン方向に連続する数または比率の連続状態に基づき、反転文字が表わされた画像か否かを判定する判定手段とを備えた、画像処理装置。
【請求項１７】  前記判定手段は、前記第１画素および第２画素の連続する数を第１しきい値と比較する比較手段を含む、請求項１５に記載の画像処理装置。
【請求項１８】  前記判定手段は、前記第１画素の連続する数が前記第１しきい値を超えるラインが所定数連続し、前記第２画素の連続する数が前記第１しきい値を超えるラインが所定数連続しない場合に、反転画像と判定する、請求項１７に記載の画像処理装置。
【請求項１９】  前記判定手段は、前記第１画素の連続する数が前記第１しきい値を超えるラインが所定数連続し、前記第２画素の連続する数が前記第１しきい値を超えるラインが所定数連続する場合に、前記第１画素の連続する数の最大値と前記第２画素の連続する最大値とを比較する最大値比較手段を含み、
前記最大値比較手段により、前記第１画素の連続する数の最大値が前記第２画素の連続する数の最大値よりも大きいとされた場合に、反転画像と判定する、請求項１８に記載の画像処理装置。
【請求項２０】  前記判定手段は、前記最大値比較手段により前記第１画素の連続する数の最大値が前記第２画素の連続する数の最大値と等しいとされた場合に、前記第１画素の総数と前記第２画素の総数とを比較する総数比較手段をさらに含み、
前記総数比較手段は、前記第１画素の総数が前記第２画素の総数よりも大きいとされた場合に、反転画像と判定する、請求項１９に記載の画像処理装置。
【請求項２１】  前記判定手段は、前記第１画素の連続する数と前記判定領域のライン方向に配列された画素数との第１の比、および、前記第２画素の連続する数と前記判定領域のライン方向に配列された画素数との第２の比それぞれを、第２しきい値と比較する比較手段を含む、請求項１５に記載の画像処理装置。
【請求項２２】  前記判定手段は、前記第１の比が前記第２しきい値を超えるラインが所定数連続し、前記第２の比が前記第２しきい値を超えるラインが所定数連続しない場合に、反転画像と判定する、請求項２１に記載の画像処理装置。
【請求項２３】  前記判定手段は、前記第１の比が前記第２しきい値を超えるラインが所定数連続し、前記第２の比が前記第２しきい値を超えるラインが所定数連続する場合に、前記第１画素の連続する数の最大値と前記第２画素の連続する数の最大値とを比較する最大値比較手段を含み、
前記最大値比較手段により、前記第１画素の連続する数の最大値が前記第２画素の連続する数の最大値よりも大きいとされた場合に、反転画像と判定する、請求項２２に記載の画像処理装置。
【請求項２４】  前記判定手段は、前記最大値比較手段により前記第１画素の連続する数の最大値が前記第２画素の連続する数の最大値と等しいとされた場合に、前記第１画素の総数と前記第２画素の総数とを比較する総数比較手段をさらに含み、
前記総数比較手段は、前記第１画素の総数が前記第２画素の総数よりも大きいとされた場合に、反転画像と判定する、請求項２３に記載の画像処理装置。
【請求項２５】  前記判定領域抽出手段は、前記入力された画像から文字が表わされた文字領域を抽出する文字領域抽出手段を含み、
前記抽出された文字領域の少なくとも一部を含む矩形の領域を判別領域として抽出する、請求項１５または１６に記載の画像処理装置。
【請求項２６】  前記文字領域抽出手段は、前記入力された画像から文字が表わされた文章領域を抽出する文章領域抽出手段と、
前記抽出された文章領域から複数の文字が配列された文字配列領域を抽出する文字配列領域抽出手段とを含み、
前記抽出された文字配列領域から少なくとも１文字を含む文字領域を抽出する、請求項２５に記載の画像処理装置。
【請求項２７】  前記判定領域抽出手段は、前記文字領域の長辺方向と平行なラインと直交する方向に、ラインを中央から２つの端部それぞれに向かって走査する走査手段と、
前記文字領域に含まれるエッジ画素の数をラインごとに第３しきい値または第４のしきい値と比較する比較手段と、
エッジ画素数が前記第３しきい値以下のラインが所定数連続した後、前記第４しきい値以上となるラインが検出された場合、前記第４のしきい値以上となるラインで特定される領域を判定領域として決定する判定領域決定手段とを含む、請求項２５に記載の画像処理装置。
【請求項２８】  前記判定領域抽出手段は、前記文字領域の長辺方向と平行なラインと直交する方向に、ラインを中央から２つの端部それぞれに向かって走査する走査手段と、
前記文字領域に含まれる前記第１画素が連続する数をラインごとに第５しきい値または第６しきい値と比較手段と、
前記第１画素が連続する数が第５しきい値以上のラインが所定ライン数を連続した後、前記第１画素が連続する数が第６しきい値より少ないラインが検出された場合、前記第１画素が連続する数が第６しきい値より少ないラインで特定される領域を判定領域として決定する判定領域決定手段とを含む、請求項２５に記載の画像処理装置。
【請求項２９】  前記判定領域決定手段は、ライン方向と直交する任意の２つの直線で挟まれる領域を判定領域として決定する、請求項２７または２８に記載の画像処理装置。
【手続補正２】
【補正対象書類名】明細書
【補正対象項目名】００１０
【補正方法】変更
【補正の内容】
【００１０】
【課題を解決するための手段】
上記課題を解決するために、本発明のある局面によれば、画像処理装置は、所定の画像情報が少なくとも生地より高い濃度の文字が描かれた画像、もしくは、少なくとも生地より低い濃度の文字が描かれた画像かを、上記所定の画像情報を一方向に計測して得られる、同一の濃度の画素の連続する長さであるラン長さであって、所定条件を満足するラン長さから判定する反転画像判定手段を備え、判定領域の反転画像判定を行なう。
【手続補正３】
【補正対象書類名】明細書
【補正対象項目名】００１１
【補正方法】変更
【補正の内容】
【００１１】
好ましくは、反転画像判定手段は、所定の画像情報に対する直交軸の一方の軸についてラン長さを計測し、所定長さのラン長さの、他方の軸方向への連続状態をもとに反転画像か否かを判定することを特徴とする。
【手続補正４】
【補正対象書類名】明細書
【補正対象項目名】００１２
【補正方法】変更
【補正の内容】
【００１２】
好ましくは、反転画像判定手段は、所定の画像情報に対する直交軸の一方の軸についてラン長さを計測し、ラン長さと該軸に対応する所定の画像情報の長さとの比を求め、所定比率のラン長さの、他方の軸方向への連続状態をもとに反転画像か否かを判定することを特徴とする。
【手続補正５】
【補正対象書類名】明細書
【補正対象項目名】００１３
【補正方法】変更
【補正の内容】
【００１３】
この発明の他の局面によれば、画像処理装置は、画像情報に対してその画像情報のサイズをもとに所定サイズの部分領域を定め、該部分領域をもとに判定領域を抽出する判定領域抽出手段と、判定領域抽出手段にて抽出された判定領域が少なくとも生地より高い濃度の文字が描かれた画像、もしくは、少なくとも生地より低い濃度の文字が描かれた画像かを、上記画像情報を一方向に計測して得られる、同一の濃度の画素の連続する長さであるラン長さであって、所定条件を満足するラン長さの連続状態をもとに判定する反転画像判定手段とを備え、判定領域の反転画像判定を行なう。
【手続補正６】
【補正対象書類名】明細書
【補正対象項目名】００１７
【補正方法】変更
【補正の内容】
【００１７】
好ましくは、判定領域抽出手段は、所定サイズの部分領域に対する直交軸の一方の軸についてラン長さを求め、部分領域の中央部からもう一方の軸の＋方向および−方向にラン長さの走査を行ない、ラン長さの変化が所定条件を満たす領域を判定領域として抽出することを特徴とする。
【手続補正７】
【補正対象書類名】明細書
【補正対象項目名】００２１
【補正方法】変更
【補正の内容】
【００２１】
この発明の他の局面によれば、画像処理プログラムを記録したコンピュータ読取可能な記録媒体は、画像情報に対してその画像情報のサイズをもとに所定サイズの部分領域を定め、該部分領域をもとに判定領域を抽出する判定領域抽出ステップと、判定領域抽出ステップにて抽出された判定領域が少なくとも生地より高い濃度の文字が描かれた画像、もしくは、少なくとも生地より低い濃度の文字が描かれた画像かを、上記画像情報を一方向に計測して得られる、同一の濃度の画素の連続する長さであるラン長さであって、所定条件を満足するラン長さの連続状態をもとに判定する反転画像判定ステップとをコンピュータに実行させることにより、判定領域の反転画像判定を行なう。
【手続補正８】
【補正対象書類名】明細書
【補正対象項目名】００２２
【補正方法】変更
【補正の内容】
【００２２】
この発明の他の局面によれば、画像処理方法は、画像情報に対してその画像情報のサイズをもとに所定サイズの部分領域を定め、該部分領域をもとに判定領域を抽出する判定領域抽出手段と、判定領域抽出手段にて抽出された判定領域が少なくとも生地より高い濃度の文字が描かれた画像、もしくは、少なくとも生地より低い濃度の文字が描かれた画像かを、上記画像情報を一方向に計測して得られる、同一の濃度の画素の連続する長さであるラン長さであって、所定条件を満足するラン長さの連続状態をもとに判定する反転画像判定手段とを備え、判定領域の反転画像判定を行なう。
【手続補正９】
【補正対象書類名】明細書
【補正対象項目名】００２３
【補正方法】変更
【補正の内容】
【００２３】
この発明のさらに他の局面によれば、画像処理プログラムは、画像情報に対してその画像情報のサイズをもとに所定サイズの部分領域を定め、該部分領域をもとに判定領域を抽出する判定領域抽出ステップと、判定領域抽出ステップにて抽出された判定領域が少なくとも生地より高い濃度の文字が描かれた画像、もしくは、少なくとも生地より低い濃度の文字が描かれた画像かを、上記画像情報を一方向に計測して得られる、同一の濃度の画素の連続する長さであるラン長さであって、所定条件を満足するラン長さの連続状態をもとに判定する反転画像判定ステップとをコンピュータに実行させることにより、判定領域の反転画像判定を行なう。
【手続補正１０】
【補正対象書類名】明細書
【補正対象項目名】００８９
【補正方法】変更
【補正の内容】
【００８９】
次に、判定領域の画像を用いて、文字領域が反転画像であるか否かを判定する反転画像判定処理について説明する。この反転画像判定処理は、上述した図３のステップＳ１０５において、反転画像判定部９で実行される処理である。反転画像判定部９は、次の手順で反転画像の判定を行なう。